(57)【要約】【課題】ランドセルカバーの耐久性および意匠性を向上させ、かつ、これにさらに所望の衝撃吸収性を持たせる。【解決手段】ランドセル１の冠表１１ａを覆う主体部２０の上部に背負いひも１８の通されるループ２１を備えると共に、この主体部２０の裏面下部にベロ１３の差し通し部２２を備えている。この主体部２０をプラスチックフォーム材により構成させている。【選択図】図１
2011030986.tif 000002
【特許請求の範囲】
【請求項１】
ランドセルの冠表を覆う主体部の上部に、背負いひもの通されるループを備えると共に、
この主体部の裏面下部に、ベロの差し通し部を備え、
しかも、この主体部を、プラスチックフォーム材により構成させてなることを特徴とするランドセル用カバー。
【請求項２】
主体部の上部の左右両側にそれぞれ、ランドセルのマチ側においてランドセルの上部開口と冠裏との間に形成される隙間を覆う覆い片が備えられていることを特徴とする請求項１に記載のランドセル用カバー。
【請求項３】
覆い片が、この覆い片を冠裏に添装させるように折り込み可能に構成されていると共に、
折り込まれた左右の覆い片間に取り外し可能に架設される連繋部材を備えていることを特徴とする請求項２に記載のランドセル用カバー。
【請求項４】
連繋部材が、収納部を備えていることを特徴とする請求項３に記載のランドセル用カバー。
【発明の詳細な説明】
【技術分野】
【０００１】
この発明は、ランドセルに装着されてその冠表を覆うカバーの改良に関する。
【背景技術】
【０００２】
ランドセルの冠（かぶせ）を、雨水や汚れや傷つきから保護するために、ランドセルに装着されてその冠表を覆うこの冠と略同じ大きさのカバーがある。（特許文献１〜３参照）
【０００３】
しかるに、従来のこれらのカバーは、薄手のシートから構成されており、耐久性は必ずしも高くなく、衝撃吸収性もなく、また、その意匠性はこのシートの持つ色彩、あるいはこれに付される色彩や模様にのみ依存するところであった。
【０００４】
また、ランドセルのマチ側においては、ランドセルの上部開口と冠裏との間に隙間が少なからず形成されるところ、従来のこの種のカバーにあっては、この隙間を塞ぐことはできなかった。
【先行技術文献】
【特許文献】
【０００５】
【特許文献１】実用新案登録第３１１３９５２号公報
【特許文献２】実用新案登録第３１３６８２２号公報
【特許文献３】特開２００７−３１２８７９号公報
【発明の概要】
【発明が解決しようとする課題】
【０００６】
この発明が解決しようとする主たる問題点は、この種のランドセルカバーの耐久性および意匠性を向上させ、かつ、これにさらに所望の衝撃吸収性を持たせるようにする点にある。
【課題を解決するための手段】
【０００７】
前記課題を達成するために、この発明にあっては、ランドセル用カバーを、ランドセルの冠表を覆う主体部の上部に、背負いひもの通されるループを備えると共に、
この主体部の裏面下部に、ベロの差し通し部を備え、
しかも、この主体部を、プラスチックフォーム材により構成させてなるものとした。
【０００８】
かかる構成によれば、前記ループに背負いひもを通し、前記差し通し部にベロを差し通すことで、ランドセルにランドセルカバーを装着してその主体部で冠表を覆わせることができる。かかる主体部はプラスチックフォーム材から構成されることから、第一に、冠を保護でき、第二に、ランドセルの前面側から加わる衝撃が吸収でき、第三に、ランドセルの意匠性を向上させたり、かかるランドセルカバーを利用してランドセルに追加的な機能を備えさせることが容易となる。特に、かかる主体部をプラスチックフォーム材から構成させることで、この主体部の表面に凹凸ないし起伏を施すことができる。
【０００９】
前記主体部の上部の左右両側にそれぞれ、ランドセルのマチ側においてランドセルの上部開口と冠裏との間に形成される隙間を覆う覆い片を備えさせておけば、冠にカバーを装着させた状態から、主体部の裏面から下方に突き出すように覆い片を位置づけることで、かかる隙間をこの覆い片により外側から覆ってこの隙間からの雨水などの入り込みなどを防ぐようにすることができる。
【００１０】
この場合さらにこの覆い片を冠裏に添装させるように折り込み可能に構成させておくと共に、折り込まれた左右の覆い片間に取り外し可能に架設される連繋部材を備えさせておくこともある。このようにすればかかる連繋部材によってかかる折り込み状態を安定的に維持させることができる。
【００１１】
かかる連繋部材にさらに収納部を備えさせておけば、かかる連繋部材を利用してランドセルの冠裏に追加の収納部を備えさせることができる。
【発明の効果】
【００１２】
この発明にかかるランドセルカバーは、ランドセルの冠表を覆う主体部をプラスチックフォーム材により構成させてなることから、耐久性および意匠性を向上させることができ、さらに所望の衝撃吸収性を持つ。また、主体部に覆い片を備えさせておくことで、さらにランドセルのマチ側においてランドセルの上部開口と冠裏との間に形成される隙間を覆う機能を持つ。
【図面の簡単な説明】
【００１３】
【図１】図１はランドセルカバーをその表面側から見た斜視図である。
【図２】図２はランドセルカバーをその裏面側から見た斜視図である。
【図３】図３はランドセルカバーをランドセルに装着した状態の要部斜視図であり、ランドセルの背当て側の上部を示している。
【図４】図４はランドセルカバーをランドセルに装着した状態の側面図である。
【図５】図５は図４におけるＡ−Ａ線位置での断面図である。
【図６】図６は覆い片によってランドセルのマチ側においてランドセルの上部開口と冠裏との間に形成される隙間を覆った様子を示した要部側面図である。
【図７】図７は図６におけるＢ−Ｂ線位置での断面図である。
【図８】図８は図１〜図７に示されるランドセルカバーの構成の一部を変更した例を示した斜視図である。
【発明を実施するための形態】
【００１４】
以下、図１〜図８に基づいて、この発明の典型的な実施の形態について説明する。この実施の形態にかかるランドセルカバー２は、ランドセル本体１０の上部開口１０ａを開放可能に覆う冠１１（かぶせ）の冠表１１ａを覆うようにランドセル１に取り外し得可能に備えられるものである。かかる冠１１は、典型的には皮革や合成皮革から構成され、ランドセル本体１０の左右寸法と略等しい幅寸法を備え、その幅側の一端部をランドセル本体１０の背当て１２側の上部開口１０ａ縁に止着されると共に、その幅側の他端部においてベロ１３に連接されている。ベロ１３の先端にはランドセル本体１０の底部１４に設けられた錠前１５に留め付けられる被留め付け部が設けられる。すなわち、かかる冠１１は、その一端部から他端部までの間をもって、ランドセル本体１０の上部開口１０ａと前面１６側（背当て１２と反対の側）を覆う長さを備えている。ランドセル１のマチ１７側（背当て１２と前面１６との間の左右両側面）においては、ランドセル１の上部開口１０ａと冠裏１１ｂとの間には隙間Ｓが形成される。
【００１５】
この実施の形態にかかるランドセルカバー２は、かかる冠１１の冠表１１ａと略同じ大きさを備えた厚手のシートないしはマット状をなすように構成された主体部２０を備えてなる。かかる主体部２０はプラスチックフォーム材から構成されており、かかる主体部２０は冠１１の湾曲に倣って湾曲する可撓性を持った構成となっている。かかる主体部２０は、ランドセルカバー２の耐久性、衝撃吸収性、意匠性の観点からは、ＥＶＡ（エチレン・酢酸ビニル共重合体）製とすることが好ましい。かかる主体部２０をプラスチックフォーム材から構成することで、第一に、冠１１を保護でき、第二に、ランドセル１の前記前面１６側から加わる衝撃が吸収でき、第三に、ランドセル１の意匠性を向上させたり、ランドセル１に追加的な機能を容易に備えさせることができる。特に、かかる主体部２０をプラスチックフォーム材から構成させることで、この主体部２０の表面に凹凸ないし起伏を施すことができる。図示の例では、主体部２０の表面の左右両側辺部２０ｅ、２０ｅ側にそれぞれ、主体部２０の長さ方向に略沿った凸条部２０ａを形成させている。また、左右の凸条部２０ａ間には、主体部２０の下辺部２０ｃ側において横向き凸条部２０ｂが形成されている。このように凸条部２０ａ、２０ｂを主体部２０に形成させることで、かかる主体部２０の耐久性などをより向上させることが可能となる。
【００１６】
主体部２０は、その上部に設けられた背負いひもの通されるループ２１と、その裏面下部に設けられたベロ１３の差し通し部２２によって、ランドセル１に備えられるようになっている。
【００１７】
図示の例では、ループ２１は、伸縮性を備えた紐体の両端部を主体部２０の上辺部２０ｄの略中央に止着させることで主体部２０に備えられている。このループ２１に左右背負いひも１８を通すことで、主体部２０の上辺部２０ｄはランドセル本体１０にズレを生じないように留められる。（図３）
【００１８】
また、図示の例では、ベロ１３の差し通し部２２は、主体部２０の幅と略等しい幅と、主体部２０の長さの約半分の長さを備えたシート体２３を、主体部２０の裏面に止着させることで形成されている。図示の例では、シート体２３の左右両側縁部をそれぞれ対応する主体部２０の上下方向略中程の位置よりも下辺部２０ｃ側の左右側辺部２０ｅに縫着させることで、このように縫着されたシート体２３と主体部２０の裏面との間に冠１１の他端部側をベロ１３を先にして差し込めるようにしてある。このように差し込まれたベロ１３はかかるシート体２３の下縁部を前記差し通し部２２として主体部２０の下辺部２０ｃから下方に突き出される。
【００１９】
また、この実施の形態にあっては、主体部２０の上部の左右両側にそれぞれ、ランドセル１のマチ１７側においてランドセル１の上部開口１０ａと冠裏１１ｂとの間に形成される隙間Ｓを覆う覆い片２４が備えられている。
【００２０】
図示の例では、かかる覆い片２４は、主体部２０の上辺部２０ｄと側辺部２０ｅの間の隅部に近い位置に備えられている。覆い片２４は、直線状生地縁２４ａと弧状生地縁２４ｂとを持つように防水性を備えた生地を裁断し且つ弧状生地縁２４ｂを縁取りさせてなり、この直線状生地縁２４ａを前記隅部側にある主体部２０の側辺部２０ｅに縫着させることで、この主体部２０に備えられている。
【００２１】
図示の例では、この覆い片２４は、この覆い片２４を冠裏１１ｂに添装させるように折り込み可能に構成されている。すなわち、かかる覆い片２４は前記直線状生地縁２４ａを折り込み中心として、冠１１にランドセルカバー２を装着させた状態からその一面を冠裏１１ｂに添装させるように冠１１の中央側に向けて折り込めるようになっている。
【００２２】
また、図示の例では、ランドセルカバー２は、このように折り込まれた左右の覆い片２４間に取り外し可能に架設される連繋部材２５を備えている。
【００２３】
これにより、この実施の形態にあっては、かかる覆い片２４によって、ランドセル１のマチ１７側においてランドセル１の上部開口１０ａと冠裏１１ｂとの間に形成される前記隙間Ｓを塞ぐことができる。すなわち、冠１１にランドセル１カバー２を装着させた状態から、主体部２０の裏面から下方に突き出すように覆い片２４を位置づけることで、かかる隙間Ｓをこの覆い片２４により外側から覆ってこの隙間Ｓからの雨水などの入り込みなどを防ぐようにすることができる。
【００２４】
また、前記のように覆い片２４を折り込み連繋部材２５で左右の覆い片２４を連繋させることで、この折り込み状態を安定的に維持させることができる。
【００２５】
図示の例では、かかる連繋部材２５は、左右両端にそれぞれ覆い片２４への接続部２５ａを備えたポーチとなっている。すなわち、かかる連繋部材２５は収納部２５ｃを備えている。これにより、図示の例では、かかる連繋部材２５を利用してランドセル１の冠裏１１ｂに追加の収納部２５ｃを備えさせることができるようになっている。
【００２６】
図示の例では、前記ポーチは、左右方向に長い開口２５ｄを雌雄をなすスライドファスナー２５ｅで綴じ合わせてなる。覆い片２４における折り込まれたときに冠裏１１ｂに向き合う前記一面と反対の他面側には、前記連繋部材２５の接続部２５ａに対する被接続片２４ｃが備えられており、この被接続片２４ｃと接続部２５ａとにはそれぞれ、雌雄をなす掛合体２４ｄ、２５ｂとしてのホックが備えられている。
【００２７】
図８は、ランドセルカバー２の主体部２０に、この主体部２０と同じプラスチックフォーム材をもって一体的に覆い片２４を形成させた変更例を示している。この例では、覆い片２４は図１〜図７に示される基本構成例のように折り込むことはできないようになつており、冠１１にランドセル１カバー２を装着させた状態において前記隙間Ｓを常時この覆い片２４により覆うようになっている。
【符号の説明】
【００２８】
１  ランドセル
１３  ベロ
１８  背負いひも
１１ａ  冠表
２  ランドセルカバー
２０  主体部
２１  ループ
２２  差し通し部
【図１】
2011030986.tif 000003
【図２】
2011030986.tif 000004
【図３】
2011030986.tif 000005
【図４】
2011030986.tif 000006
【図５】
2011030986.tif 000007
【図６】
2011030986.tif 000008
【図７】
2011030986.tif 000009
【図８】
2011030986.tif 000010